(57)【要約】【課題】電極層からの電流を十分に引き出すことができる燃料電池セル及びセルスタック並びに燃料電池を提供する。【解決手段】外面に空気極層７０、内面に燃料極層６６が形成された固体電解質層６６に、空気極層７０に電気的に接続し空気極層７０よりも高い導電率を有する高導電率層９１を設けた燃料電池セルを複数所定間隔を置いて配置し、一方の燃料電池セル６２のインターコネクタ７２と、隣設する他方の燃料電池セル６２の空気極層７０を、該空気極層７０に電気的に接続した高導電率層９１、及び一方の燃料電池セル６２と他方の燃料電池セル６２間の集電部材７６を介して電気的に接続した。【選択図】図５
2007066583.tif 000002
【特許請求の範囲】
【請求項１】
固体電解質層の内外面にそれぞれ多孔質の電極層を有する柱状の燃料電池セルであって、前記固体電解質層に、前記電極層に電気的に接続し該電極層よりも高い導電率を有する高導電率層を接合して設けたことを特徴とする燃料電池セル。
【請求項２】
中空平板型又は円筒型であって、前記固体電解質層の外面に外側電極層を設け、該外側電極層に前記高導電率層が電気的に接続していることを特徴とする請求項１記載の燃料電池セル。
【請求項３】
中空平板型又は円筒型であって、前記固体電解質層の内面に内側電極層を、外面に外側電極層を設け、該外側電極層に前記高導電率層を電気的に接続し、かつ、前記内側電極層にインターコネクタを電気的に接続して設けたことを特徴とする請求項２記載の燃料電池セル。
【請求項４】
中空平板型又は円筒型であって、環状の固体電解質層の全周面に、該固体電解質層を取り囲むように前記外側電極層、前記高導電率層が設けられていることを特徴とする請求項２記載の燃料電池セル。
【請求項５】
前記高導電率層は、軸長方向に形成された軸長方向高導電率層であることを特徴とする請求項１乃至４のうちいずれかに記載の燃料電池セル。
【請求項６】
前記外側電極層の周方向に、前記軸長方向高導電率層に接続された周方向高導電率層が形成されていることを特徴とする請求項５記載の燃料電池セル。
【請求項７】
請求項３記載の燃料電池セルを複数所定間隔を置いて配置し、一方の燃料電池セルのインターコネクタと、隣設する他方の燃料電池セルの外側電極層とを、該外側電極層に電気的に接続した高導電率層、及び前記一方の燃料電池セルと前記他方の燃料電池セル間の集電部材を介して電気的に接続してなることを特徴とするセルスタック。
【請求項８】
請求項４記載の燃料電池セルを複数所定間隔を置いて配置し、一方の燃料電池セルの内側電極層と、隣設する他方の燃料電池セルの外側電極層とを、該外側電極層に接続された高導電率層、及び前記一方の燃料電池セルと前記他方の燃料電池セル間の集電部材を介して、前記燃料電池セルの端部にて電気的に接続してなることを特徴とするセルスタック。
【請求項９】
収納容器内に請求項７又は８記載のセルスタックを収納してなることを特徴とする燃料電池。
【発明の詳細な説明】
【技術分野】
【０００１】
本発明は、固体電解質層の内外面にそれぞれ多孔質の電極層を有する柱状の燃料電池セル及びセルスタック並びに燃料電池に関する。
【背景技術】
【０００２】
次世代エネルギーとして、近年、複数の燃料電池セルからなるスタックを収納容器内に収容した燃料電池が種々提案されている。
【０００３】
図８は従来の中空平板型の固体電解質形燃料電池セルのセルスタックを示すもので、このセルスタックは、複数の燃料電池セル２２３（２２３ａ、２２３ｂ）を集合させ、一方の燃料電池セル２２３ａと他方の燃料電池セル２２３ｂとの間に、金属部材などからなる集電部材２２５を介在させ、一方の燃料電池セル２２３ａの外側電極（空気極層）２２８と他方の燃料電池セル２２３ｂの内側電極（燃料極層）２２７とを電気的に接続して構成されていた。
【０００４】
燃料電池セル２２３（２２３ａ、２２３ｂ）は、扁平状の内側電極２２７の外周面に、固体電解質層２２９、外側電極２２８を順次設けて構成されており、固体電解質層２２９、外側電極２２８から露出した内側電極２２７には、外側電極２２８に接続しないようにインターコネクタ２３０が設けられている。内側電極２２７内にはガス流路を構成する複数のガス通過孔２３２が形成されている。
【０００５】
一方の燃料電池セル２２３ａと他方の燃料電池セル２２３ｂとの電気的接続は、他方の燃料電池セル２２３ｂの内側電極２２７を、該内側電極２２７に設けられたインターコネクタ２３０、集電部材２２５を介して、一方の燃料電池セル２２３ａの外側電極２２８に接続することにより行われていた（例えば特許文献１、２参照）。
【特許文献１】特開平１−１６９８７８号公報
【特許文献２】特開２００３−２８２１０１号公報
【発明の開示】
【発明が解決しようとする課題】
【０００６】
しかしながら、上記従来の燃料電池セルでは、外側電極（空気極層）２２８は、多孔質の導電性セラミック材料から構成されているため、未だ導電率が低く、この外側電極２２８に接続される集電部材２２５による集電特性が低くなるという問題があった。
【０００７】
また、燃料電池セルの外側電極２２８には、集電部材２２５が接合材料により接合されるが、外側電極２２８は多孔質であり、外側電極２２８が固体電解質層２２９から剥離し易く、もしくは集電部材２２５が外側電極層２２８から剥離し易いという問題があった。これにより、集電部材２２５による集電特性が低くなるという問題があった。
【０００８】
本発明は、電極層からの電流を十分に引き出すことができる燃料電池セル及びセルスタック並びに燃料電池を提供することを目的とする。
【課題を解決するための手段】
【０００９】
本発明の燃料電池セルは、固体電解質層の内外面にそれぞれ多孔質の電極層を有する柱状の燃料電池セルであって、前記固体電解質層に、前記電極層に電気的に接続し該電極層よりも高い導電率を有する高導電率層を接合して設けたことを特徴とする。
【００１０】
このような燃料電池セルでは、例えば、固体電解質層に、酸素極層に接続しかつこの酸素極層よりも高い導電率を有する高導電率層を接合して設けたので、多孔質で導電性セラミックスからなり、導電性が低い酸素極層を用いたとしても、発生した電流が高導電率層を流れ、この高導電率を介して十分に引き出すことができる。
【００１１】
本発明では、外側電極に電気的に接続する高導電率層を設ける場合以外に、内側電極に電気的に接続する高導電率層を設ける場合、外側電極、内側電極の両方にそれぞれ電気的に接続する高導電率層を設ける場合も含む。特に、電気抵抗が大きい酸素極層に接続する高導電率層を設けることが望ましいが、燃料極層においても、この燃料極層よりも高い導電率を有する高導電率層を電気的に接続して設けることにより、発生した電流を燃料電池セルから有効に引き出すことができる。
【００１２】
また、高導電率層が固体電解質層に接合されているため、高導電率層の燃料電池セルからの剥離を防止でき、これにより、酸素極層の固体電解質層からの剥離や、集電部材の剥離を防止できる。
【００１３】
即ち、従来、一方の燃料電池セルの酸素極層と他方の燃料電池セルのインターコネクタとの間に集電部材を介装し、集電部材と酸素極層、インターコネクタが接合材料により接合されていたが、酸素極層自身は酸素を取り込む必要があるため、多孔質であり、酸素極層の強度が十分ではなく、結果的に集電部材と酸素極層、酸素極層と固体電解質層との接合強度が不十分となり、集電部材の剥離等が発生しやすいという問題があった。また、燃料電池セルはその製造工程や発電中に反りや傾斜が発生したり、熱膨張の差による変位が発生する場合があり、この場合に、集電部材の酸素極層への接合強度が不十分であると、集電部材がセルから剥離してしまい、燃料電池の電圧劣化の原因となるという問題があった。
【００１４】
さらに、酸素極層は多孔質であり、固体電解質層との接合が十分でないため、例えば、導電性セラミックスからなる酸素極層にＡｇペーストを塗布して酸素極層の上層部に高導電率層を形成することも考えられるが、この場合においては、固体電解質層とは多孔質の酸素極層が接合されることになり、高導電率層が剥離し易いが、本発明によれば、高導電率層が、空気極層を介在せずに固体電解質層に接合しているため、高導電率層の固体電解質層からの剥離を防止でき、これにより酸素極層の固体電解質からの剥離も防止できる。
【００１５】
このような燃料電池セルを、後述するように、複数所定間隔を置いて配置し、一方の燃料電池セルのインターコネクタと、隣設する他方の燃料電池セルの外側電極とを、該外側電極に電気的に接続した高導電率層、及び前記一方の燃料電池セルと前記他方の燃料電池セル間の集電部材を介して電気的に接続してセルスタックを構成する場合があるが、この場合には、高導電率層が固体電解質層に接合し、この高導電率層に集電部材が接合されることになるため、高導電率層を酸素極層よりも緻密質とすることができ、高導電率層の固体電解質層への接合強度、集電部材への接合強度を高くすることが可能となり、集電部材により、一方の燃料電池セルの酸素極層と他方のインターコネクタとを確実に接合することができる。
【００１６】
また、本発明の燃料電池セルは、中空平板型又は円筒型の燃料電池セルであって、前記固体電解質層の外面に外側電極層を設け、該外側電極層に前記高導電率層が電気的に接続していることを特徴とする。
【００１７】
このような燃料電池セルでは、外側電極層に高導電率層を容易に設けることができる。本発明では、外側電極層が酸素極層であり、この酸素極層に高導電率層を電気的接続して設けることが望ましい。
【００１８】
さらに、本発明の燃料電池セルは、中空平板型又は円筒型の燃料電池セルであって、前記固体電解質層の内面に内側電極層を、外面に外側電極層を設け、該外側電極層に前記高導電率層を電気的に接続し、かつ、前記内側電極層に電気的に接続するインターコネクタを設けたことを特徴とする。
【００１９】
このような燃料電池セルでは、上記したように、セルスタックを構成する場合に、高導電率層が固体電解質層に接合し、この高導電率層に集電部材が接合されることになるため、高導電率層を緻密質とすることができ、高導電率層の固体電解質層への接合強度、集電部材への接合強度を高くすることが可能となり、集電部材により、一方の燃料電池セルの酸素極層と他方のインターコネクタとを確実に接合することができる。
【００２０】
また、本発明の燃料電池セルは、中空平板型又は円筒型の燃料電池セルであって、環状の固体電解質層の全周面に、該固体電解質層を取り囲むように前記外側電極層、前記高導電率層が設けられていることを特徴とする。いわゆるインターコネクタレスタイプの燃料電池セルにも、本発明を適用することができる。
【００２１】
このようなインターコネクタレスタイプの燃料電池セルでは、柱状の燃料電池セルの端部にて、隣設する燃料電池セル同士を電気的に接続するものであるが、従来、例えば、多孔質の導電性セラミックスからなる酸素極層を発生した電流が流れるため、酸素極層の抵抗が未だ大きいことに起因して、燃料電池セルの一方の端部で発生した電流を他方の端部まで流す際の電気抵抗が大きく、発電性能が低下する傾向にあったが、本発明では、軸長方向に形成された軸長方向高導電率層を設けることにより、燃料電池セルの一方の端部で発生した電流は、高導電率層を介して他方の端部まで効率良く流れ、電気抵抗が小さくなり、発電性能を向上することができる。
【００２２】
さらに、本発明の燃料電池セルは、前記高導電率層は、軸長方向に形成された軸長方向高導電率層であることを特徴とする。このような燃料電池セルでは、燃料電池セルの軸長方向端部にて発生した電流を、軸長方向高導電率層により有効に引き出すことができる。
【００２３】
さらにまた、本発明の燃料電池セルは、前記外側電極層の周方向に、前記軸長方向高導電率層に接続された周方向高導電率層が形成されていることを特徴とする。このような燃料電池セルでは、燃料電池セルの周方向で発生した電流を、周方向高導電率層、軸長方向高導電率層を介して効果的に引き出すことができる。
【００２４】
本発明のセルスタックは、上記燃料電池セルを複数所定間隔を置いて配置し、一方の燃料電池セルのインターコネクタと、隣設する他方の燃料電池セルの外側電極とを、該外側電極に電気的に接続した高導電率層、及び前記一方の燃料電池セルと前記他方の燃料電池セル間の集電部材を介して電気的に接続してなることを特徴とする。このようなセルスタックでは、上記したように、高導電率層の固体電解質層への接合強度、集電部材への接合強度を高くすることが可能となり、集電部材により、一方の燃料電池セルの酸素極層と他方のインターコネクタとを確実に接合することができる。
【００２５】
また、本発明のセルスタックは、上記燃料電池セルを複数所定間隔を置いて配置し、一方の燃料電池セルの内側電極と、隣設する他方の燃料電池セルの外側電極を、該外側電極に接続された高導電率層、及び前記一方の燃料電池セルと前記他方の燃料電池セル間の集電部材を介して、前記燃料電池セルの端部にて電気的に接続してなることを特徴とする。このようなセルスタックでは、上記したように、軸長方向に形成された軸長方向高導電率層を設けることにより、燃料電池セルの一方の端部で発生した電流は、高導電率層を介して他方の端部まで流れ、一方の燃料電池セルと他方の燃料電池セル間の集電部材を介して電気的に接続するため、燃料電池セル間の電気抵抗が小さくなり、発電性能を向上することができる。
【００２６】
本発明の燃料電池は、収納容器内に上記セルスタックを収納してなることを特徴とする。このような燃料電池では、セルスタックにおける電気抵抗が小さいため、発電性能を向上できる。
【発明の効果】
【００２７】
本発明の燃料電池セルでは、固体電解質層に、電極層に接続しかつこの電極層よりも高い導電率を有する高導電率層を接合して設けたので、発生した電流が高導電率層を流れ、この高導電率層を介して引き出すことができ、電極層からの電流を十分に引き出すことができる。
【発明を実施するための最良の形態】
【００２８】
以下、本発明の燃料電池を、図１〜４を用いて説明する。図１は燃料電池の断面図、図２は燃料電池の上方平面図、図３は燃料電池内に収容される発電ユニット集合体を示す斜面図、図４はセルスタックの横断面図である。
【００２９】
本発明の燃料電池は略直方体形状のハウジング（収納容器）２を具備している。このハウジング２の６個の壁面には適宜の断熱材料から形成された断熱壁、即ち上断熱壁４、下断熱壁６、右側断熱壁８、左側断熱壁９、前断熱壁１０及び後断熱壁１１が配設されている。ハウジング２内には発電・燃焼室１２が規定されている。
【００３０】
前断熱壁１０及び／又は後断熱壁１１は着脱自在或いは開閉自在に装着されており、前断熱壁１０及び／又は後断熱壁１１を離脱或いは開動せしめることによって発電・燃焼室１２内にアクセスすることができる。所望ならば、各断熱壁の外面に金属板製でよい外壁を配設することができる。
【００３１】
ハウジング２内の上端部には空気室（ガス室）１６が配設されている。空気室１６は上下方向寸法が比較的小さい直方体形状のケース１７内に規定されている。空気室１６には、発電・燃焼室に向かって空気（酸素含有ガス）を送り込むための空気導入管（ガス供給手段）２２が連通している。空気導入管２２は複数本あり、その形状は円筒や中空板構造などが考えられる。空気導入管２２は後述するセルスタック間に配置されており、セルの下端部において開口し、この開口部から空気が噴出する構造となっている。空気導入管２２はセラミックスなどの耐熱性の高い材料で作製するのが好適である。
【００３２】
また、空気室１６には、低温ガス供給管１８からなる低温ガス供給手段が設けられており、この低温ガス供給管１８は、上断熱壁４を貫通し、外部に延設されている。
【００３３】
この低温ガス供給管１８は、空気室１６内に供給されるガスと同一種、即ち、低温の空気を空気室１６内に供給するものであり、低温ガス供給管１８により供給される空気は、予熱された空気の温度よりも低温である必要がある。特には、室温程度が望ましい。
【００３４】
低温ガス供給管１８は、図２に示すように、発電ユニット５６ａ、５６ｂ、５６ｃ及び５６ｄ、即ち、燃料電池セル集合体の中央部を冷却するような空気室１６の位置に接続されている。
【００３５】
ハウジング２の両側部、更に詳しくは右側断熱壁８の内側及び左側断熱壁９の内側には、全体として平板形状である熱交換器２４が配設されている。熱交換器２４の各々は実質上鉛直に延在する中空平板形態のケース２６から構成されている。
【００３６】
かかるケース２６内にはその横方向中間に位置する仕切板２８が配設されており、ケース２６内は内側に位置する排出路３０と外側に位置する流入路３２とに区画されている。排出路３０内には上下方向に間隔をおいて３枚の仕切壁３４及び３６が配置されている。更に詳述すると、排出路３０内には、その前縁はケース２６の前壁（図示していない）から後方に離隔して位置するがその後縁はケース２６の後壁（図示していない）に接続されている形態の仕切壁３４と、その前縁はケース２６の前壁に接続されているがその後縁はケース２６の後壁から前方に離隔して位置せしめられている仕切壁３６とが交互に配置されており、かくして燃焼ガス排出路３０はジグザグ形態にせしめられている。なお、所望ならばジグザグ形態の流路以外の形態でも良い。
【００３７】
同様に、流入路３２内にも上下方向に間隔をおいて３枚の仕切壁３８及び４０、即ちその前縁はケース２６の前壁（図示していない）から後方に離隔して位置するがその後縁はケース２６の後壁（図示していない）に接続されている形態の仕切壁３８と、その前縁はケース２６の前壁に接続されているがその後縁はケース２６の後壁から前方に離隔して位置せしめられている仕切壁４０とが交互に配置されており、かくして流入路３２もジグザグ形態にせしめられている。なお、所望ならばジグザグ形態の流路以外の形態でも良い。
【００３８】
ケース２６の内側壁の上端部には排出開口４２が形成されており、排出路３０は排出開口４２を介して発電・燃焼室１２と連通せしめられている。図示の実施形態においては、熱交換器２４の各々と発電・燃焼室１２との間には断熱部材４４が配設されているが、かかる断熱部材４４の上端は排出開口４２の下縁と実質上同高乃至これより幾分下方に位置せしめられており、排出開口４２は断熱部材４４の上方に残留せしめられている空間を通して発電・燃焼室１２に連通せしめられている。
【００３９】
ケース２６の上壁における外側部には流入開口４８が形成されており、流入路３２はかかる流入開口４８を介して空気室１６に連通せしめられている。熱交換器２４の各々の後方には上下方向に細長く延びる二重筒体５０（図１にその上端部のみを図示している）が配設されており、かかる二重筒体５０は外側筒部材５２と内側筒部材５４とから構成されている。排出路３０の下端部は外側筒部材５２と内側筒部材５４との間に規定されている排出路の下端部に接続されており、流入路３２の下端部は内側筒部材５４内に規定されている流入路に接続されている。
【００４０】
上述した発電・燃焼室の下部には４個の発電ユニット５６ａ、５６ｂ、５６ｃ及び５６ｄが配置されている。発電ユニット５６ａ、５６ｂ、５６ｃ及び５６ｄは、夫々、上述した空気導入管２２間に位置せしめられている。図１、２と共に、図３を参照して説明を続けると、発電ユニット５６ａは前後方向（図１において紙面に垂直な方向）に細長く延びる直方体形状の燃料ガスケース５８ａを具備している。
【００４１】
燃料ガス室を規定している燃料ガスケース５８ａの上面上にはセルスタック６０ａが装着されている。セルスタック６０ａは上下方向に細長く延びる板状でかつ柱状の直立セル６２を燃料ガスケース５８ａの長手方向（即ち図１では紙面に垂直な方向）に複数個縦列配置して構成されている。
【００４２】
セル６２は、図４に示すように、電極支持基板６４、内側電極層である燃料極層６６、固体電解質層６８、外側電極層である酸素極層７０、及びインターコネクタ７２を具備して構成されている。
【００４３】
電極支持基板６４は細長く延びる柱状（薄板柱状片）であり、平坦な両面と半円形状の両側面を有する。電極支持基板６４にはこれを軸長方向に貫通する複数個（図示の場合は６個）の燃料ガス通路７４が形成されている。電極支持基板６４の各々は燃料ガスケース５８ａの上壁上に、例えば耐熱性に優れたセラミック接着剤によって接合される。
【００４４】
燃料ガスケース５８ａの上壁には図１において紙面に垂直な方向に間隔をおいて左右方向に延びる複数個のスリット（図示していない）が形成されており、電極支持基板６４の各々に形成されている燃料ガス通路７４がスリットの各々に従って燃料ガス室に連通せしめられる。
【００４５】
インターコネクタ７２は電極支持基板６４の片面上に配設されている。燃料極層６６は電極支持基板６４の他面及び両側面に配設されており、その両端はインターコネクタ７２の両端に接合せしめられている。固体電解質層６８は燃料極層６６の全体を覆うように配設され、その両端はインターコネクタ７２の両端に接合せしめられている。酸素極層７０は、固体電解質層６８の主部上、即ち電極支持基板６４の他面を覆う部分上に配置され、電極支持基板板６４を挟んでインターコネクタ７２に対向して位置せしめられている。
【００４６】
セルスタック６０ａにおける隣接するセル６２間には集電部材７６が配設されており、一方のセル６２のインターコネクタ７２と他方のセル６２の酸素極層７０とを接続している。セルスタック６０ａの両端、即ち図４において上端及び下端に位置するセル６２の片面及び他面にも集電部材７６が配設され、セルスタック６０ａの両端に位置する集電部材７６には導電部材が接続され、かかる導電部材により、セルスタック６０ａ、６０ｂ、６０ｃ及び６０ｄは相互に直列接続されている。
【００４７】
セル６２について更に詳述すると、図５に示すように、電極支持基板６４は燃料ガスを燃料極層６６まで透過させるためにガス透過性であること、そしてまたインターコネクタ７２を介して集電するために導電性であることが要求され、かかる要求を満足する多孔質の導電性セラミック（若しくはサーメット）から形成することができる。
【００４８】
燃料極層６６及び／又は固体電解質層６８との同時焼成によりセル６２を製造するためには、鉄属金属成分と特定希土類酸化物とから電極支持基板６４を形成することが好ましい。所要ガス透過性を備えるために開気孔率が３０％以上、特に３５乃至５０％の範囲にあるのが好適であり、そしてまたその導電率は３００Ｓ／ｃｍ以上、特に４４０Ｓ／ｃｍ以上であるのが好ましい。
【００４９】
燃料極層６６は多孔質の導電性セラミック、例えば希土類元素が固溶しているＺｒＯ２（安定化ジルコニアを称されている）とＮｉ及び／又はＮｉＯとから形成することができる。
【００５０】
固体電解質層６８は、電極間の電子の橋渡しをする電解質としての機能を有していると同時に、燃料ガスと空気とのリークを防止するためにガス遮断性を有するものであることが必要であり、通常、３〜１５モル％の希土類元素が固溶したＺｒＯ２から形成されている。
【００５１】
酸素極層７０は所謂ＡＢＯ３型のペロブスカイト型酸化物からなる導電セラミックから形成することができる。酸素極層７０はガス透過性を有していることが必要であり、開気孔率が２０％以上、特に３０〜５０％の範囲にあることが好ましい。
【００５２】
インターコネクタ７２は導電性セラミックから形成することができるが、水素ガスでよい燃料ガス及び空気と接触するため、耐還元性及び耐酸化性を有することが必要であり、このためにランタンクロマイト系のペロブスカイト型酸化物（ＬａＣｒＯ３系酸化物）が好適に使用される。インターコネクタ７２は電極支持基板６４に形成された燃料ガス通路７４を通る燃料ガス及び電極支持基板６４の外側を流動する空気のリークを防止するために緻密質でなければならず、９３％以上、特に９５％以上の相対密度を有していることが望まれる。
【００５３】
集電部材７６は弾性を有する金属又は合金から形成された適宜の形状の部材或いは金属繊維又は合金繊維から成るフェルトに所要表面処理を加えた部材から構成できる。
【００５４】
そして、本発明の燃料電池セルは、固体電解質層６８に、酸素極層７０に電気的に接続しこの酸素極層７０よりも高い導電率を有する軸長方向高導電率層９１が接合して設けられている。即ち、酸素極層７０は、図６（ａ）に示すように、支持基板６４の一方側主面に、セル幅方向に所定間隔をおいて、長さ方向（軸長方向）延設された２本の酸素極層７０ａから構成されており、その間の固体電解質層６８には、図６（ｂ）に示すように、軸長方向高導電率層９１が接合して形成され、２本の酸素極層７０ａの内側部分と軸長方向高導電率層９１の外側部分は接続され、電気的に導通している。
【００５５】
このような軸長方向高導電率層９１により、軸長方向高導電率層９１の両側に形成された酸素極層７０ａで発生した電流が、中央の軸長方向高導電率層９１に流れ込み、この軸長方向高導電率層９１を介して、有効に引き出すことができる。また、軸長方向高導電率層９１は固体電解質層６８に十分な強度できる、例えば、材料、緻密度等を選択できるため、この軸長方向高導電率層９１に接合された酸素極層７０ａの固体電解質層６８からの剥離を防止できる。
【００５６】
尚、図６（ｃ）に示すように、酸素極層７０の両側に軸長方向高導電率層９１を設けてもよい。この場合には、軸長方向高導電率層９１からの電流の引き出しをさらに良好に行うことができるとともに、酸素極層７０の固体電解質層６８からの剥離をさらに防止できる。
【００５７】
また、図６（ｄ）に示すように、複数の周方向高導電率層９３が、軸長方向高導電率層９１の両側から燃料電池セルの周方向に延設されている。周方向高導電率層９３も、固体電解質層６８に接合しているものであり、その周囲は酸素極層７０と電気的に接続している。周方向高導電率層９３は、酸素極層７０に、例えば、Ａｇペーストを塗布し、酸素極上に形成することもできるが、軸長方向高導電率層９１と同様、固体電解質層６８に接合して設けることにより、周方向高導電率層９３の接合強度を高め、酸素極層７０の固体電解質層６８からの剥離をさらに防止できる。
【００５８】
このような燃料電池セルでは、燃料電池セルの周方向で発生した電流を、周方向高導電率層９３、軸長方向高導電率層９１を介して効果的に引き出すことができる。特に、支持基板６４の一方側主面に形成されている酸素極層７０が、他方側主面まで延設されている場合には、他方側主面の酸素極層７０から軸長方向高導電率層９１までの距離が長いため、周方向高導電率層９３を向けることにより効果的に集電することができる。
【００５９】
高伝導率層９１、９３は、酸素極層７０、７０ａよりも高い導電率を有するもので、貴金属材料、例えばＡｇ、又はＡｇと酸素極材料の混合材料、若しくは、酸素極層７０を構成する材料と同一成分からなり、酸素極層よりも緻密度の高い導電性セラミックから構成することができる。具体的には、高伝導率層９１は、例えば、Ａｇと酸素極材料を１：９から５：５の重量比で混合した材料を用いることができる。
【００６０】
酸素極層７０よりも軸長方向高導電率層９１、周方向高導電率層９３が高導電率であるか否かについては、燃料電池セルの酸素極層７０に、抵抗測定器の両端子を所定距離をおいて当接して所定間隔における酸素極層７０の抵抗を測定し、一方、高導電率層９１，９３にも、同様にして抵抗測定器の両端子を所定距離をおいて当接して所定間隔における高導電率層９１，９３の抵抗を測定し、これらの抵抗を比較することにより、導電率の比較を行うことができる。
【００６１】
本発明のセルスタックは、図４（ａ）に示すように、上記した本発明の燃料電池セル６２を複数所定間隔を置いて配置し、一方の燃料電池セルのインターコネクタ７２と、隣設する他方の燃料電池セル６２の酸素極層７０を、軸長方向高導電率層９１、及び一方の燃料電池セルと他方の燃料電池セル間の集電部材７６を介して電気的に接続して構成されている。即ち、断面矩形状の棒状集電部材７６を、軸長方向高導電率層９１とインターコネクタ７２との間に介装し、これを導電性ペーストにより接合することにより構成されている。尚、一方のセルの周方向高導電率層９３と、他方のセルのインターコネクタ７２とを集電部材７６で接合することもできる。
【００６２】
この図４（ａ）では、集電部材７６を、Ａｇ等を含有する導電性ペーストを用いて軸長方向高導電率層９１及びインターコネクタ７２に接合する場合を示すもので、接合は、例えばＡｇペーストを軸長方向高導電率層９１、インターコネクタ７２の表面に塗布し、このＡｇペーストが塗布された部分に集電部材７６が押圧固定されるように介装し、この状態で熱処理することにより、集電部材７６を軸長方向高導電率層９１、７２に接合することができる。尚、図４（ｂ）に示すように、金属又は合金等の導電性板からなる集電部材７６を用い、この集電部材７６を、インターコネクタ７２、軸長方向高導電率層９１に接合しても良い。
【００６３】
さらに、支持基板６４の主面に軸長方向高導電率層９１を設けたが、発電性能が低い支持基板６４の半円形状の曲面部に軸長方向高導電率層を設けることができる。この場合には、支持基板６４の主面の面積を狭めることがないため、発電性能の高い部分の酸素極層の面積を最大限に確保することができ、発電性能を向上することができる。
【００６４】
図３を参照して説明を続けると、発電ユニット５６ａは、セルスタック６０ａの上方を前後方向に細長く延びる長方体形状（或いは円筒形状）であるのが好都合である改質ケース７８ａも具備している。改質ケース７８ａの前面には燃料ガス送給管８０ａの一端即ち上端が接続されている。
【００６５】
燃料ガス送給管８０ａは下方に延び、次いで湾曲して後方に延び、燃料ガス送給管８０ａの他端は上記燃料ガスケース５８ａの前面に接続されている。改質ケース７８ａの後面には被改質ガス供給管８２ａの一端が接続されている。被改質ガス供給管８２ａは改質ケースから下方に延び、ハウジング２の下を通ってハウジング２外に延出している。
【００６６】
被改質ガス供給管８２ａは都市ガス等の炭化水素ガスでよい被改質ガス供給源（図示していない）に接続されており、被改質ガス供給管８２ａを介して改質ケース７８ａに被改質ガスが供給される。改質ケース７８ａ内には燃料ガスを水素リッチな燃料ガスに改質するための適宜の改質触媒が収容されている。
【００６７】
図示の実施形態においては、改質ケース７８ａは燃料ガス送給管８０ａを介して燃料ガスケース５８ａに接続され、これによって所要位置に保持されているが、所要ならば、図３に一点鎖線で図示する如く、例えば上記被改質ガス供給管８２ａの下面と燃料ガスケース５８ａの後端部下面或いは後面との間に適宜の支持部材８４ａを付設することもできる。
【００６８】
図３において説明すると、発電ユニット５６ｃは上述した発電ユニット５６ａと実質上同一であり、発電ユニット５６ｂ及び５６ｄは、発電ユニット５６ａ及び５６ｃに対して前後方向が逆に配置されていること、従って改質ケース７８ｂ及び７８ｄと燃料ガスケース５８ｂ及び５８ｄとを接続する燃料ガス送給管（図示していない）が後側に配置され、被改質ガス供給管８２ｂ及び８２ｄが改質ケースから下方に延び、ハウジング２の下を通ってハウジング２外に延出している。
【００６９】
上述したとおりの燃料電池組立体においては、被改質ガスが被改質ガス供給管８２ａ、８２ｂ、８２ｃ、８２ｄを介して改質ケース７８ａ、７８ｂ、７８ｃ及び７８ｄに供給され、改質ケース７８ａ、７８ｂ、７８ｃ及び７８ｄ内において水素リッチな燃料ガスに改質された後に、燃料ガス送給管８０ａ、８０ｂ、８０ｃ、８０ｄを通して燃料ガスケース５８ａ、５８ｂ、５８ｃ及び５８ｄ内に規定されている燃料ガス室に供給され、次いでセルスタック６０ａ、６０ｂ、６０ｃ及び６０ｄに供給される。
【００７０】
セルスタック６０ａ、６０ｂ、６０ｃ及び６０ｄの各々においては、酸素極において、
１／２Ｏ２＋２ｅ−→Ｏ２−（固体電解質）
の電極反応が生成され、燃料極において、
Ｏ２−（固体電解質）＋Ｈ２→Ｈ２Ｏ＋２ｅ−
の電極反応が生成されて発電される。
【００７１】
発電に使用されることなくセルスタック６０ａ、６０ｂ、６０ｃ及び６０ｄから上方に流動した燃料ガス及び空気は、起動時に発電・燃焼室１２内に配設されている点火手段（図示していない）によって点火されて燃焼される。周知の如く、セルスタック６０ａ、６０ｂ、６０ｃ及び６０ｄにおける発電に起因して、そしてまた燃料ガスと空気との燃焼に起因して発電・燃焼室１２内は例えば１０００℃程度の高温になる。改質ケース７８ａ、７８ｂ、７８ｃ及び７８ｄは発電・燃焼室１２内に配設され、セルスタック６０ａ、６０ｂ、６０ｃ及び６０ｄの直ぐ上方に位置せしめられており、燃焼炎によって直接的にも加熱され、かくして発電・燃焼室１２内に生成される高温が被改質ガスの改質に効果的に利用される。
【００７２】
発電・燃焼室１２内に生成された燃焼ガスは熱交換器２４に形成されている排出開口４２から排出路３０に流入し、ジグザグ状に延在する排出路３０を流動した後に二重筒体５０の外側筒部材５２と内側筒部材５４との間に規定されている排出路を通して排出される。燃焼ガスが二重筒体５０における排出路を流動する際には、二重筒体５０における流入路を空気が流動し、燃焼ガスと空気との間で熱交換が行われる。
【００７３】
そしてまた、燃焼ガスが熱交換器２４の排出路３０をジグザグ状に流動せしめられる際には、空気が熱交換器２４の流入路３２をジグザグ状に流動せしめられる。かくして燃焼ガスと空気との間で効果的に熱交換されて空気が予熱される。
【００７４】
長期間に渡って発電を遂行することによってセルスタック６０ａ、６０ｂ、６０ｃ及び６０ｄの一部或いは全部が劣化した場合には、ハウジング２の前壁１０或いは後壁１１を離脱或いは開動せしめ、発電ユニット５６ａ、５６ｂ、５６ｃ及び５６ｄの一部或いは全部をハウジング２内から取り出す。
【００７５】
そして、発電ユニット５６ａ、５６ｂ、５６ｃ及び５６ｄの一部或いは全部を新しいものに交換して、或いは発電ユニット５６ａ、５６ｂ、５６ｃ及び５６ｄの一部或いは全部におけるセルスタック６０ａ、６０ｂ、６０ｃ及び６０ｄのみを新しいものに交換して、再びハウジング２内の所要位置に装着すればよい。発電ユニット５６ａ、５６ｂ、５６ｃ及び５６ｄの一部あるいは全部における改質ケース７８ａ、７８ｂ、７８ｃ及び７８ｄ内に収容されている改質触媒を交換することが必要な場合にも、発電ユニット５６ａ、５６ｂ、５６ｃ及び５６ｄの一部或いは全部をハウジング２内から取り出し、発電ユニット５６ａ、５６ｂ、５６ｃ及び５６ｄの一部或いは全部における改質ケース７８ａ、７８ｂ、７８ｃ及び７８ｄ自体を新しいものに或いは改質ケース７８ａ、７８ｂ、７８ｃ及び７８ｄ内の改質触媒のみを新しいものに交換すればよい。
【００７６】
改質ケース７８ａ、７８ｂ、７８ｃ及び７８ｄ内の改質触媒の交換を充分容易に遂行し得るようになすために、所望ならば改質ケース７８ａ、７８ｂ、７８ｃ及び７８ｄの一部を開閉自在な扉にせしめることができる。
【００７７】
一方、空気は二重筒体５０の内側筒部材５４内に規定されている流入路を通して熱交換器２４の流入路３２に供給され、熱交換器２４を通過して予熱（加熱）された空気は、空気室１６に一旦貯留され、空気導入管２２を通って燃焼・発電室１２のセルスタック間に供給される。この際、空気導入管２２はセルスタック６０の燃料電池セル６２の上端の燃料ガス通路７４近傍で燃焼する燃焼ガス雰囲気中を通過する。従って、空気室１６の予熱空気はセルスタック６０ａ、６０ｂ、６０ｃ及び６０ｄ上部の燃焼領域でさらに加熱され、高温に暖められた空気がセルに供給される。
【００７８】
通常運転時は前記熱交換器２４で予熱された空気が空気室１６に導入され、この空気室１６から空気導入管２２を用いて燃焼・発電室１２へ空気が導入されるが、発電室の温度が想定以上に上昇した場合は、前記熱交換器２４を通らない低温ガス供給管１８を通ってきた低温の空気が空気室１６に導入され、熱交換器２４を通過して予熱された空気と混合されて、空気室１６の空気温度がある程度低下する。この空気を発電室１２、即ち、セルスタック間に供給することにより、通常運転時より温度の低い空気がセルスタック間に導入されるので、発電室１２、即ち燃料電池セルの過度に上昇した温度が低下されるので、発電室内の温度を適宜にコントロールできる良好な燃料電池組立体が提供される。
【００７９】
また、空気室１６内の空気温度は、低温ガス供給管１８から供給された外気と、熱交換器２４を通過して予熱された空気と混合されるため、室温ほど低温の空気ではないので、熱い燃料電池セル６０に供給しても、燃料電池セル６０のクラックや熱衝撃破壊を引き起こすなどの不具合を避けることが出来るので、燃料電池発電システム全体の機能劣化が抑えられ寿命が延ばすことができる。
【００８０】
図７は、本発明の他のインターコネクタレスタイプの燃料電池セルを示すもので、このセルは、図７（ａ）（ｂ）に示すように、中空平板型の燃料電池セルであって、環状の固体電解質層１６８の全周面に、この固体電解質層１６８を取り囲むように酸素極層１７０が形成され、この酸素極層１７０に接続するように軸長方向高導電率層１９１が設けられている。即ち、固体電解質層１６８の外周面には、軸長方向高導電率層１９１が形成された部分を除き、酸素極層１７０が形成されており、軸長方向高導電率層１９１が形成された部分を除き、発電することになる。
【００８１】
このような燃料電池セルでは、上端部で発生した電流は、軸長方向高導電率層１９１を介して下端部まで流れ、従来のように多孔質の導電性セラミックからなる酸素極層を介して、下端部まで電流が流れることがないため、電気抵抗が小さくなり、発電性能を向上することができる。
【００８２】
尚、図７に示す燃料電池セルでは、全周面で発電するため、一方側の主面にのみ軸長方向高導電率層１９１が形成されていると、他方側の主面で発電した電流が、酸素極層１７０を通って一方側の主面の軸長方向高導電率層１９１まで流れる必要があるため、図４（ｄ）に示すような、複数の周方向高導電率層９３を、軸長方向高導電率層１９１に接続して設けることにより、他方側の主面で発電した電流を周方向高導電率層９３を介して一方主面の軸長方向高導電率層１９１まで流すことでき、電気抵抗を小さくして発電性能を向上することができる。
【００８３】
さらに、図７に示す燃料電池セルでは、一方側の主面にのみ軸長方向高導電率層１９１を形成した例について説明したが、他方側主面にも同様に軸長方向高導電率層１９１を設けることにより、他方側主面で発生した電流を他方側主面の軸長方向高導電率層を介して流すことができ、電気抵抗を小さくして、発電性能を向上することができる。
【００８４】
図７（ｃ）に、上記インターコネクタレスタイプの燃料電池セルを用いたセルスタックを示す。このセルスタックは、図３の燃料ガスケース５８ａ〜５８ｄの上蓋１２１に形成された貫通孔内に燃料電池セルがそれぞれ挿入固定されている。そして、一方の燃料電池セルの燃料極支持体１６４と、隣設する他方の燃料電池セルの酸素極層１７０を、酸素極層１７０に接続された軸長方向高導電率層１９１、及び一方の燃料電池セルと他方の燃料電池セル間の集電部材１２３を介して、燃料電池セルの下端部にて電気的に接続して構成されている。
【００８５】
即ち、燃料電池セルは上蓋１２１の貫通孔に挿入固体されており、一方のセルの軸長方向高導電率層１９１には、上蓋１２１に例えばＡｇペーストを塗布して形成された集電部材１２３が接続され、この集電部材１２３は、他方のセルの固体電解質層１６８の一部が除去され、その除去された部分を介して他方の燃料電池セルの燃料極層１６６、支持体１６４に電気的に接続されている。
【００８６】
そして、上蓋１２１及び集電部材１２３はガラス層１２５により被覆され、保護されている。このようなセルスタックでは、上記したように、軸長方向に形成された軸長方向高導電率層１９１を設けることにより、燃料電池セルの一方の端部（上端部）で発生した電流は、高導電率層１９１を介して他方の端部（下端部）まで流れ、一方の燃料電池セルと他方の燃料電池セル間の集電部材１２３を介して電気的に接続するため、燃料電池セル間の電気抵抗が小さくなり、発電性能を向上することができる。
【００８７】
以上、添付図面を参照して本発明の好適実施形態について詳細に説明したが、本発明はかかる実施形態に限定されるものではなく、本発明の範囲を逸脱することなく種々の変形乃至修正が可能であることは多言するまでもない。
【００８８】
例えば、セルスタックの上方に特定の改質ケースを備えた燃料電池組立体に関連せしめて本発明を説明したが、改質ケースがセルスタックの上方以外の場合でも、本発明を適用することが出来る。
【００８９】
また、上記形態では、空気室に低温ガス供給手段を設け、空気供給管により、燃料電池セルの外面に空気を供給する場合について説明したが、本発明は、空気供給管により燃料電池セルの内部に空気を供給するようにしても良いことは勿論である。尚、この場合、燃料電池セルの内側には空気極が、外側には燃料極が形成されることは言うまでもない。
【００９０】
尚、上記実施形態では、燃料電池セルの側面同士を集電部材７６で電気的に接続するために、図６（ａ）〜（ｄ）に示すように軸長方向高導電率層９１を用いた例について説明したが、本発明では、図６（ｅ）に示すように、複数の円形状の高導電率層９２を設けた場合でも、上記形態とほぼ同様の効果を得ることができる。
【００９１】
また、上記形態では、中空平板型の燃料電池セルについて説明したが、円筒型燃料電池セルに本発明を適用できることは勿論である。
【００９２】
さらに、上記形態では、固体電解質層６８，１６８の外面に酸素極層を設けた場合について説明したが、本発明では、固体電解質層の外面に燃料極層を設けた場合であっても良い。
【００９３】
さらにまた、上記形態では、固体電解質層６８，１６８の外面に酸素極層を設け、この酸素極層に電気的に接続する高導電率層を設けた場合について説明したが、固体電解質層６８，１６８の内面に燃料極層に電気的に接続する高導電率層を、固体電解質内面に接合して設けた場合でも、上記形態とほぼ同様の効果を得ることができる。さらに、固体電解質層６８，１６８の外面の酸素極層、内面の燃料極層にそれぞれ電気的に接続する高導電率層を設けた場合でも、上記形態とほぼ同様の効果を得ることができる。
【００９４】
また、上記例では、支持基板上に燃料極層、固体電解質層、酸素極層を形成した場合について説明したが、燃料極層が支持体の場合であっても、本発明を適用できる。
【００９５】
さらに、上記例では、インターコネクタに集電部材を接合した例について説明したが、インターコネクタ表面にＰ型半導体等の中間層を形成し、この中間層を介して集電部材を接合しても良い。
【実施例】
【００９６】
平均粒径０．５μｍのＮｉＯ粉末と、Ｙ２Ｏ３粉末（平均粒径は０．６〜０．９μｍ）を、ＮｉＯがＮｉ換算で４８体積％、Ｙ２Ｏ３が５２体積％になるようにして混合し、この混合粉末に、ポアー剤、有機バインダーと、水とを混合して形成した支持基板用坏土を押出成形し、これを乾燥し、脱バインダー処理し、扁平状の支持基板用成形体を作製し、これを乾燥した。この後、１０００℃で仮焼し、支持基板仮焼体を作製した。
【００９７】
次に、８モル％Ｙ２Ｏ３を含有するＺｒＯ２（ＹＳＺ）粉末と、ＮｉＯ粉末と、有機バインダーと、溶媒とを混合したスラリーを用いて燃料極層形成用シートを作製し、これを支持基板仮焼体の所定位置に積層し、１０００℃で仮焼し、支持基板仮焼体の表面に燃料極層仮焼体を形成した。
【００９８】
一方、上記ＹＳＺ粉末と、有機バインダーと、溶媒とを混合した浸漬液を作製し、この浸漬液中に支持基板仮焼体を浸漬し、引き上げることにより燃料極層仮焼体の表面に固体電解質材料の塗布膜を形成し、乾燥することにより固体電解質層成形体を形成した。
【００９９】
次に、平均粒径２μｍのＬａＣｒＯ３系酸化物粉末と、有機バインダーと、溶媒とを混合したスラリーを用いて、インターコネクタ用シートを作製し、このシートを支持基板仮焼体が露出した部分に積層し、支持基板仮焼体、燃料極層仮焼体、インターコネクタ用シート、及び固体電解質層成形体からなる焼結用積層シートを作製した。次に、この焼結用積層シートを脱バインダ処理し、大気中にて１５００℃で同時焼成した。
【０１００】
得られた焼結体を、平均粒径２μｍのＬａ０．６Ｓｒ０．４Ｃｏ０．２Ｆｅ０．８Ｏ３(ＬＳＣＦという)粉末と、溶媒をからなるペースト中に浸漬し、焼結体に形成されている固体電解質層の表面に、図６（ａ）に示すように、２条の酸素極層用コーティング層を設け、さらに上記ペーストを焼結体に形成されているインターコネクタの外面に塗布し、Ｐ型半導体用コーティング層を設け、１１５０℃で焼き付け、この後、２条の酸素極層間に、これらの酸素極層の側部が重畳するように、Ａｇ−Ｐｄ（９：１）と上記ＬＳＣＦ粉末を１：１の重量比で含有する導電性ペーストを塗布し、９００℃で焼き付け、図６（ｂ）に示すような燃料電池セルを作製した。
【０１０１】
作製した燃料電池セルの長さは１４５ｍｍ、幅は２６ｍｍ、厚みは３．２ｍｍ、燃料極層の厚みは１０μｍ、酸素極層の厚みは１２０μｍ、インターコネクタの厚みは５０μｍ、Ｐ型半導体層の厚みは１００μｍであった。また、軸長方向高導電率層の厚みは１２０μｍであり、その幅は３ｍｍ、長さは１２５ｍｍであり、その両側の酸素極層はそれぞれ幅が１１ｍｍで、長さが１２５ｍｍであった。
【０１０２】
作製した燃料電池セルについて、抵抗測定器を用いて、高導電率層の長さ方向両端間における抵抗を測定したところ、０．０８３Ωであった。また、同様に酸素極層の長さ方向両端間における抵抗は、４．２Ωであった。
【０１０３】
これらの燃料電池セルを５本と、矩形棒状の集電部材を用いて、図４（ａ）に示すようなセルスタックを作製し、このセルスタックにおける発電量を測定した。発電条件は、空気極１ｃｍ２当たりの電流密度を０．３Ａとし、このとき、セル５本トータルの出力は、３３．０Ｗとなった。
【０１０４】
また、１０００時間発電後において、軸長方向高導電率層と集電部材、固体電解質層との接合状況、固体電解質と空気極層との接合状況を確認したところ、剥離箇所は見られなかった。
【０１０５】
一方、軸長方向高導電率層を形成せずに、空気極層の幅を２５ｍｍ、長さを１２５ｍｍとし、集電部材と空気極層を接合する以外は図４（ａ）と同様に作製した比較例のセルスタックでは、上記条件での発電量は３０.０Ｗであり、３００時間発電後には、集電部材と空気極層との接合箇所、空気極と固体電解質との間で一部剥離が見られた。
【図面の簡単な説明】
【０１０６】
【図１】本発明の燃料電池を示す縦断面図。
【図２】図１の平面図。
【図３】図１の燃料電池に使用されている発電ユニット集合体を示す斜面図。
【図４】セルスタックを示すもので、（ａ）矩形棒状の集電部材を用いたセルスタック、（ｂ）は導電性板をリボン状に成形した集電部材を用いたセルスタックを示す横断面図。
【図５】本発明の燃料電池セルを示す斜視図。
【図６】燃料電池セルの側面図であり、（ａ）は空気極層が２つに分割されている状態を示し、（ｂ）は２つに分割された空気極層間に軸長方向高導電率層を設けた状態を示し、（ｃ）は空気極層の両側に軸長方向高導電率層を設けた状態を示し、（ｄ）は軸長方向高導電率層と周方向高導電率層を設けた状態を示す側面図、（ｅ）は高導電率層を点在させた状態を示す側面図。
【図７】インターコネクタレスタイプの燃料電池セルを示すもので、（ａ）は燃料電池セルの横断面図、（ｂ）は（ａ）の側面図、（ｃ）は複数の（ａ）の燃料電池セルを電気的に接続した状態を示す縦断面図。
【図８】従来のセルスタックを示す横断面図。
【符号の説明】
【０１０７】
２：ハウジング（収納容器）
６０ａ、６０ｂ、６０ｃ及び６０ｄ：セルスタック
６２：燃料電池セル
６６、１６６：燃料極層
６８、１６８：固体電解質層
７０、７０ａ、１７０：空気極層
７２：インターコネクタ
７６、１２３：集電部材
９１、９２、９３、１９１：高導電率層
【図１】
2007066583.tif 000003
【図２】
2007066583.tif 000004
【図３】
2007066583.tif 000005
【図４】
2007066583.tif 000006
【図５】
2007066583.tif 000007
【図６】
2007066583.tif 000008
【図７】
2007066583.tif 000009
【図８】
2007066583.tif 000010